(57)【要約】【課題】  本発明は患者用排泄物処理装置の人体接触部に装着する布カバーとして、従来の問題点を解消するために案出したもので、着脱が容易にでき洗濯して再使用できること、長期間直に接触する患者の肌を保護すること、布カバーの離脱を防止すること、小便や水が人体接触部から外部へ漏れることを防止することを課題とする。 【解決手段】  そのため本発明は人体接触部の上部及び下部に装着される上面カバー部及び下面カバー部の周りに、人体接触部にはめて取付ける填め部が形成され、各填め部の周りに少なくとも一つは人体接触部との離脱を防止する弾性支持部が形成され、又上面カバー部には上面の両側部を連結するバンドが形成される。本発明は綿、レーヨン、レーヨン混紡、スパンデックス、ナイロン、ポリエステル及びポリウレタンの中でどれか一つの素材を使用してもよく、カバー部全体または各填め部は、補強吸水材が間に挿入される２重以上の布地で成り立つ。 【選択図】  図３
2009183680.tif 000002
【特許請求の範囲】
【請求項１】
患者用排泄物処理装置の人体接触部に装着される布カバーとして、前記人体接触部の上
部に装着される上面カバー部と前記上面カバー部の下に延長して形成されて、前記人体接
触部の下部に装着される下面カバー部を含み、前記上面カバー部及び下面カバー部のまわ
りには、前記人体接触部にはめて取付ける填め部がそれぞれ形成されていることを特徴と
する患者用排泄物処理装置の布カバー。    
【請求項２】
前記上面カバー部及び下面カバー部の中で少なくとも一つは、前記各填め部のまわりに
前記人体接触部との離脱を防止する弾性支持部が形成されていることを特徴とする請求項
１記載の患者用排泄物処理装置の布カバー。
【請求項３】
前記上面カバー部には、上面の両側部を連結するバンドが形成されていることを特徴と
する請求項１又は２記載の患者用排泄物処理装置の布カバー。
【請求項４】
前記上面カバー部及び下面カバー部は、綿、レーヨン、レーヨン混紡、スパンデックス
、  ナイロン、ポリエステル及びポリウレタンの中でどれか一つの素材を使用しても成り
立つことを特徴とする請求項１〜３のいずれかに記載の患者用排泄物処理装置の布カバー
。
【請求項５】
前記上面カバー部及び下面カバー部の全体または前記各填め部は、２重以上の布地で成
り立って、その間には補強吸収材が挿入されていることを特徴とする請求項１〜４のいず
れかに記載の患者用排泄物処理装置の布カバー。
【発明の詳細な説明】
【技術分野】
【０００１】
本発明は、患者用排泄物処理装置の布カバーに関するもので、より詳細には病臥患者の
排泄物を吸入して自動で処理し、排泄物及び排泄器官の後処理が衛生的に行われ、いつも
清潔な状態を維持することができるようにし、患者に快適さと安楽さを提供する患者用排
泄物処理装置の布カバーに関するものである。            
【背景技術】
【０００２】
一般的に寝たきりの高齢者や病人、障害者などのような病臥患者たちは動きが不便で横
たわった状態で排便を処理しなければならない。したがってこのような人達の排泄物処理
には介護や看護など世話をする人手が必ず必要なので、看病に必要となる費用が増加し、
排泄物の処理が負担になるという問題がある。 
【０００３】
特に、大便・小便を自分で処理できない患者または障害者の場合、大・小便の処理のた
めに使い捨て用紙おむつが手広く使われている。  このような使い捨て用紙おむつは患者
や障害者の大便及び小便を処理した後すぐ廃棄することができて簡便だという長所を持っ
ている。
【０００４】
しかしこのような紙おむつに使われる吸収用品等の品質が相当発達することはしたが、
紙おむつを長時間装着するようになれば肌がただれ易く、通気性が落ちて肌に発疹など悪
影響を及ぼす問題もある。
【０００５】
このような患者の排泄物処理問題を解消するため、最近図1に表すように、排泄物を吸
いこんで処理し、洗浄及び乾燥を行う本体部１００と、人体に装着される人体接触部１１
０と、本体部１００と人体接触部１１０を連通する複数の配管を具備した配管部１２０を
含んだ、自動で患者の排泄物を処理する患者用排泄物処理装置がすでに開発（特許出願２
００７−２４４３５４）されている。
【発明の開示】
【発明が解決しようとする課題】
【０００６】
ただこの患者用排泄物処理装置は人体接触部１１０と人体が長期間直に接触するので、
肌が損傷される問題点がある。
【０００７】
またこの患者用排泄物処理装置は紙おむつ２００を並行して使うので、1回使用の後は
廃棄処分して環境汚染の原因になるし、患者の排泄物処理費用が過多に必要となる問題も
ある。
【０００８】
また患者に患者用排泄物処理装置を装着した状態で患者が動くことで、小便や水が人体
接触部１１０から外部へ漏れる問題もある。
【０００９】
本発明は前記のような従来の問題点を解消するために案出したもので、患者用排泄物処
理装置の人体接触部にこの布カバーを装着することで着脱が容易になり、布カバーを洗濯
して再使用ができることで環境汚染の影響を減少させることができ、患者の肌にトラブル
が少ない布素材を使うことで長期間直に接触する患者の肌を保護することができ、布カバ
ーに弾持部を形成することで人体接触部で布カバーの離脱を防止することができ、また布
カバーの布地を2重以上に形成してその間に補強吸水材を挿入することで吸水力が向上し
て小便や水が人体接触部から外部へ漏れることを防止することができる、そのような患者
用排泄物処理装置の布カバーを提供することになる。
【課題を解決するための手段】
【００１０】
前記課題は、以下の各発明によって解決される。
【００１１】
（請求項１）
患者用排泄物処理装置の人体接触部に装着される布カバーとして、前記人体接触部の上
部に装着される上面カバー部と前記上面カバー部の下に延長して形成されて、前記人体接
触部の下部に装着される下面カバー部を含み、前記上面カバー部及び下面カバー部のまわ
りには、前記人体接触部にはめて取付ける填め部がそれぞれ形成されていることを特徴と
する患者用排泄物処理装置の布カバー。
【００１２】
（請求項２）
前記上面カバー部及び下面カバー部の中で少なくとも一つは、前記各填め部のまわりに
前記人体接触部との離脱を防止する弾性支持部が形成されていることを特徴とする請求項
１記載の患者用排泄物処理装置の布カバー。
【００１３】
（請求項３）
前記上面カバー部には、上面の両側部を連結するバンドが形成されていることを特徴と
する請求項１又は２記載の患者用排泄物処理装置の布カバー。
【００１４】
（請求項４）
前記上面カバー部及び下面カバー部は、綿、レーヨン、レーヨン混紡、スパンデックス
、ナイロン、ポリエステル及びポリウレタンの中でどれか一つの素材を使用しても成り立
つことを特徴とする請求項１〜３のいずれかに記載の患者用排泄物処理装置の布カバー。
【００１５】
（請求項５）
前記上面カバー部及び下面カバー部の全体または前記各填め部は、２重以上の布地で成
り立って、その間には補強吸収材が挿入されていることを特徴とする請求項１〜４のいず
れかに記載の患者用排泄物処理装置の布カバー。
【発明の効果】
【００１６】
本発明は患者用排泄物処理装置の人体接触部に布カバーを採用することで、着脱が容易
になり、布カバーを洗濯して再使用ができるので環境汚染の影響を減少させることができ
る。
【００１７】
本発明は患者の肌にトラブルが少ない布を使って長期間直に接触する患者の肌を保護す
ることができるようになる。
【００１８】
本発明は布カバーに弾性支持部を形成して人体接触部で布カバーの離脱を防止すること
ができる。
【００１９】
本発明は布カバーの布地を２重以上に形成してその間に補強吸水材を挿入するので、吸
水力が向上して小便や水が人体接触部から外部に排出されることを防止することができる
効果を提供する。
【発明を実施するための最良の形態】
【００２０】
以下、添付図面を参照して本発明の好ましい一つの実施例により更に詳細に説明する。
【００２１】
図２は、本発明の一つの実施例による患者用排泄物処理装置の布カバーを装着した状態
を示す構成図、図３は、本発明の一つの実施例による患者用排泄物処理装置の布カバーを
はずした状態を示す構成図、図４は、本発明の一つの実施例による患者用排泄物処理装置
の布カバーを示す断面図である。
【００２２】
図２及び図３に示したように、本実施例の患者用排泄物処理装置の布カバーは上面カバ
ー部１０と、その下に延長して形成された下面カバー部２０で成り立ち、患者用排泄物処
理装置の人体接触部１１０に装着される布カバーである。
【００２３】
本実施例の患者用排泄物処理装置は、排泄物を吸いこんで処理し、洗浄及び乾燥を行う
本体部１００と、人体に装着される人体接触部１１０と、本体部１００と人体接触部１１
０を連通する複数の配管を具備した配管部１２０を含む。
【００２４】
人体接触部１１０は、人体の前方部（上面）と接触するように湾曲に形成された上面接
触部１１１と、人体の後方部（下面）と接触するように湾曲に形成された下面接触部１１
２と、人体接触部１１０の下部を支持するカバー部１１３、人体の臀部を支持するように
突起が形成された支持部１１４と、患者の排泄物を収容する受け皿部１１５を具備する。
上面接触部１１１と下面接触部１１２は外まわりに人体との接触面積を確保するための羽
部１１１ａ、１１２ａがそれぞれ形成されている。また、上面接触部１１１、下面接触部
１１２及び支持部１１４は人体と接触する部分なので、シリコーンやゴム類などのように
人体に無害な弾性部材を使うのが好ましい。
【００２５】
上面カバー部１０は患者用排泄物処理装置の人体接触部１１０の上面接触部１１１に装
着されて、上面カバー部１０のまわりには、人体接触部１１０の上面接触部１１１にはめ
て取付ける上面填め部１１が形成されている。上面カバー部１０の上面填め部１１のまわ
りには人体接触部１１０の上面接触部１１１との離脱を防止する上面弾性支持部１２が形
成されている。すなわち、上面填め部１１は人体接触部１１０の上面接触部１１１の羽部
１１１ａにはめて、上面填め部１１の一側端周りに形成された上面弾性支持部１２によっ
て内側で弾持力が付与されるので、上面填め部１１に羽部１１１ａが挿まれた状態で離脱
が防止される。したがって患者が患者用排泄物処理装置を装着した状態で動いても本実施
例の布カバーの離脱を防止することができるようになる。
【００２６】
このような上面弾性支持部１２ではゴムひも、 ゴム帯などの弾性部材を使うのが可能
であり、上面弾性支持部１２以外のところにも紐や絞り紐などを使って上面填め部１１を
人体接触部１１０の上面接触部１１１にはめて紐や絞り紐を締めながら固定させることも
もちろん可能である。
【００２７】
上面カバー部１０の素材では、綿、レーヨン、レーヨン混紡、スパンデックス、ナイロ
ン、ポリエステル及びポリウレタンなど多様な素材を使うことができる。特に、その中で
も人体に無害で肌触りが良好な純綿を使うのが好ましい。
【００２８】
下面カバー部２０は上面カバー部１０の下に延長して形成されて、人体接触部１１０の
下面接触部１１２に装着されて、下面カバー部２０のまわりには、上記人体接触部１１０
の下面接触部１１２にはめて取付ける下面填め部２１がそれぞれ形成されている。下面カ
バー部２０の下面填め部２１のまわりには人体接触部１１０の下面接触部１１２との離脱
を防止する下面弾性支持部２２が形成されている。すなわち、下面填め部２１は人体接触
部１１０の下面接触部１１２の羽部１１２ａにはめて、下面填め部２１の一側端まわりに
形成された下面弾性支持部２２によって内側で弾持力が付与されるので、下面填め部２１
に羽部１１２ａが挿まれた状態で離脱が防止される。  したがって患者が患者用排泄物処
理装置を装着した状態で動いても本実施例の布カバーの離脱を防止することができるよう
になる。
【００２９】
このような下面弾性支持部２２ではゴムひも、 ゴム帯などの弾性部材を使うのが可能
であり、下面弾性支持部２２以外のところにも紐や絞り紐などを使って下面填め部２１を
人体接触部１１０の下面接触部１１２にはめて紐や絞り紐を締めながら固定させることも
もちろん可能である。
【００３０】
下面カバー部２０の素材では、綿、レーヨン、レーヨン混紡、スパンデックス、ナイロ
ン、ポリエステル及びポリウレタンなど多様な素材を使うことができる。  特に、その中
でも人体に無害で肌触りが良好な純綿を使うのが好ましい。
【００３１】
上面カバー部１０の上面填め部１１及び下面カバー部２０の下面填め部２１は、断面が
"U"字形象である溝が形成されてその溝内に上面接触部１１１の羽部１１１ａ及び下
面接触部１１２の羽部１１２ａと挿み合わせて、人体接触部１１０に上面カバー部１０及
び下面カバー部２０が接合される。
【００３２】
また、上面カバー部１０及び下面カバー部２０のカラーは、通常清潔のために白などを
主に使い、患者の趣向によって緑、青色、赤色など、多様なカラーを使うことも可能であ
る。
【００３３】
上面カバー部１０及び下面カバー部２０のサイズは大型、中型、小型に形成されて、人
体接触部１１０の多様なサイズに適用可能にさせることがもっと好ましい。
【００３４】
図４に示したように、上面カバー部１０及び下面カバー部２０全体または上記各填め部
１１、２１は、２重以上の布地Ｃ１で成り立って、その間には補強吸水材Ｃ２が挿入され
ている。このような補強吸水材Ｃ２ではスポンジ、綿または同一素材の布などを使うのが
可能であり、このような補強吸水材によって人体接触部１１０での漏れによる小便や水の
吸収をするようになるので、小便や水の外部への漏れを防止するようになる。
【００３５】
図５は本発明の一つの実施例による患者用排泄物処理装置の布カバーの他の例を示す構
成図である。患者用排泄物処理装置の布カバーの他の例として上面カバー部１０には上面
の両側部を連結するバンド１３が形成されている。このようなバンド１３では上面カバー
部１０が人体接触部１１０で離脱しないように弾持する弾性バンドを使うのが好ましい。
また弾性バンドとしてゴムひもやゴム帯、織物バンドなど多様なバンドの使用がもちろん
可能である。
【００３６】
以上説明した本発明はその技術的思想または主な特徴から逸脱することなしに他のさま
ざまな形態で実施することができる。したがって上記実施例はすべての点で単純な例示に
過ぎないし限定的に解釈されてはならない。
【図面の簡単な説明】
【００３７】
【図１】は患者用排泄物処理装置を表す構成図。
【図２】は本発明の一つの実施例による患者用排泄物処理装置の布カバーを装着した状態を表す構成図。
【図３】は本発明の一つの実施例による患者用排泄物処理装置の布カバーを脱去した状態を表す構成図。
【図４】は本発明の一つの実施例による患者用排泄物処理装置の布カバーを表す断面図。
【図５】は本発明の一つの実施例による患者用排泄物処理装置の布カバーの他の例を表す構成図。
【符号の説明】
【００３８】
１０：上面カバー部
１１：上面填め部
１２：上面弾性支持部
１３：バンド
２０：下面カバー部
２１：下面填め部
２２：下面弾性支持部
【図１】
2009183680.tif 000003
【図２】
2009183680.tif 000004
【図３】
2009183680.tif 000005
【図４】
2009183680.tif 000006
【図５】
2009183680.tif 000007